(57)【要約】【課題】既設又は新設の防護網構造をより強固に補強する補強方法および補強構造を提供する。【解決手段】補強構造１００は、斜面Ｓに立設した複数の支柱１と、支柱１の下端部を斜面Ｓに固定する支柱固定部２と、支柱１を斜面Ｓに対して立設させるため支柱１の上端部に接続された吊りロープ３と、吊りロープ３を斜面Ｓに固定する吊りロープ固定部４と、各支柱１の上端部から吊設される縦主ロープ５と、縦主ロープ５間に設けられた縦補助ロープ６と、縦主ロープ５と交差するように設けられる第１の横主ロープ７と、第１の横主ロープ７を斜面Ｓに固定する第１の横主ロープ固定部８と、縦主ロープ５、縦補助ロープ６および第１の横主ロープ７に接続される第１の防護網９と、第１の防護網９を覆うように設けられる第２の防護網１０と、第２の防護網１０と接続される第２の横主ロープ１１と、第２の横主ロープ１１を斜面Ｓに固定する第２の横主ロープ固定部１２と、を備える。【選択図】図１
2015175125.tif 000002
【特許請求の範囲】
【請求項１】
斜面に吊設された縦ロープと、前記縦ロープと交差するように設置された第１の横ロープと、前記縦ロープと前記第１の横ロープに接続された第１の防護網と、を備えた防護網構造を補強する補強方法であって、
前記第１の防護網の外側において、第２の防護網を、前記縦ロープおよび前記第１の防護網に接続するステップと、
第２の横ロープを、前記第２の防護網に接続するステップと、
前記第２の横ロープを固定するロープ固定部を、前記斜面に固定するステップと、
前記第２の横ロープの両端部を、前記ロープ固定部に接続するステップと、
を有することを特徴とする補強方法。
【請求項２】
さらに、前記第２の防護網の上端側を前記第２の横ロープを巻き込むように折り返し、折り返した状態で前記第２の防護網と前記第２の横ロープとを接続するステップを有することを特徴とする、請求項１に記載の補強方法。
【請求項３】
前記第２の防護網と前記第２の横ロープとを接続するステップでは、さらに前記第１の防護網と共に接続することを特徴とする、請求項２に記載の補強方法。
【請求項４】
斜面に立設した複数の支柱と、前記支柱の下端部を斜面に固定する支柱固定部と、前記支柱を前記斜面に対して立設させるため前記支柱の上端部に接続された吊りロープと、前記吊りロープを前記斜面に固定する吊りロープ固定部と、前記支柱の上端部から吊設される縦ロープと、前記縦ロープと交差するように設けられる第１の横ロープと、前記第１の横ロープを前記斜面に固定する第１の横ロープ固定部と、前記縦ロープと前記第１の横ロープに接続される第１の防護網と、前記第１の防護網を覆うように設けられる第２の防護網と、前記第２の防護網と接続される第２の横ロープと、前記第２の横ロープを前記斜面に固定する第２の横ロープ固定部と、を備えることを特徴とする補強構造。
【発明の詳細な説明】
【技術分野】
【０００１】
本発明は、落石が発生するおそれのある斜面に設置される防護網構造を補強する補強方法および補強構造に関する。
【背景技術】
【０００２】
一般に、落石が発生するおそれのある斜面に設置される防護網構造として、ポケット式落石防護網がある。ポケット式落石防護網は、斜面に支柱を設け、支柱から金網を垂らすことによって、斜面と金網の間に落石を導入するための入り口が設けられている。ポケット式落石防護網は、入り口から入った落石を金網に衝突させることで落石の運動エネルギーを吸収し、落石を下部まで誘導する機能を有する。
【０００３】
しかし、落石防護網を設置後、設計時に想定していたよりも大きな落石が発生する可能性が生じた場合、その運動エネルギーを吸収するため新たな防護網構造に取り替える必要があった。
【０００４】
また、落石が発生する斜面の状態、傾斜角度、落石の大きさ等はさまざまであるため、個々の落石の運動エネルギーもさまざまである。設計時には個々の運動エネルギーのうち、最大の運動エネルギーを想定して防護網構造における各部材の強度を設定するが、実際の設置位置での状況は、必ずしも想定範囲内とは限らない。
【０００５】
さらに、落石によって防護網構造の一部が破損した場合には、破損した箇所の周辺の部材を撤去し、新たな部材に取り替える必要がある。また、老朽化した場合にも、老朽化した範囲の部材を撤去し、新たな部材に取り替える必要がある。いずれの場合にも、部材を撤去する必要があり、廃棄物が発生する。撤去および取り替えの作業には多くの時間を要する。
【０００６】
そこで、新たな防護網構造に取り替えるのではなく、防護網構造を補強する方法として、例えば、特許文献１には、防護網の外側または／及び内側に補強網を設けることで落下物防護装置を補強する補強方法が開示されている。
【先行技術文献】
【特許文献】
【０００７】
【特許文献１】特開２０１３−２５６８４５号公報
【発明の概要】
【発明が解決しようとする課題】
【０００８】
しかしながら、特許文献１の補強方法では、補強網を設けたことによって、落石が防護網に衝突した際に防護網に作用する荷重が増加する。その結果、防護網を支持するロープやアンカーに作用する荷重も増加し、当該ロープやアンカーが破損するおそれがある。
【０００９】
本発明は、上記の従来の課題に基づいてなされたものであり、その目的は、既設又は新設の防護網構造をより強固に補強する補強方法および補強構造を提供することである。
【課題を解決するための手段】
【００１０】
本発明に係る補強方法は、斜面に吊設された縦ロープと、前記縦ロープと交差するように設置された第１の横ロープと、前記縦ロープと前記第１の横ロープに接続された第１の防護網と、を備えた防護網構造を補強する補強方法であって、前記第１の防護網の外側において、第２の防護網を、前記縦ロープおよび前記第１の防護網に接続するステップと、第２の横ロープを、前記第２の防護網に接続するステップと、前記第２の横ロープを固定するロープ固定部を、前記斜面に設置するステップと、前記第２の横ロープの両端部を、前記ロープ固定部に接続するステップと、を有することを特徴とする。
【００１１】
さらに、前記第２の防護網の上端側を前記第２の横ロープを巻き込むように折り返し、折り返した状態で前記第２の防護網と前記第２の横ロープとを接続するステップを有することが好ましい。
【００１２】
また、前記第２の防護網と前記第２の横ロープとを接続するステップでは、さらに前記第１の防護網と共に接続することが好ましい。
【００１３】
本発明に係る補強構造は、斜面に立設した複数の支柱と、前記支柱の下端部を斜面に固定する支柱固定部と、前記支柱を前記斜面に対して立設させるため前記支柱の上端部に接続された吊りロープと、前記吊りロープを前記斜面に固定する吊りロープ固定部と、前記支柱の上端部から吊設される縦ロープと、前記縦ロープと交差するように設けられる第１の横ロープと、前記第１の横ロープを前記斜面に固定する第１の横ロープ固定部と、前記縦ロープと前記第１の横ロープに接続される第１の防護網と、前記第１の防護網を覆うように設けられる第２の防護網と、前記第２の防護網と接続される第２の横ロープと、前記第２の横ロープを前記斜面に固定する第２の横ロープ固定部と、を備えることを特徴とする。
【発明の効果】
【００１４】
本発明の補強方法によれば、既設又は新設の防護網構造をより強固に補強することができる。本発明の補強構造によれば、衝突した落石をより安全に捕捉することができる。また、本発明の補強構造によれば、防護網全体の質量が増加するので、エネルギー吸収性能が向上する。
【図面の簡単な説明】
【００１５】
【図１】実施形態に係る補強構造を説明するための展開図である。
【図２】実施形態に係る補強構造を説明するための側面図である。
【図３】（Ａ）〜（Ｅ）補強方法を説明するための図である。
【発明を実施するための形態】
【００１６】
以下、本発明の実施の形態に係る補強構造を、図面を参照しながら説明する。
【００１７】
図１および図２は、本実施形態に係る補強構造を説明するための図であって、図１は展開図、図２は側面図である。
【００１８】
補強構造１００は、斜面Ｓに立設した複数の支柱１（１ａ、１ｂ、・・・、１ｆ）と、支柱１の下端部を斜面Ｓに固定する支柱固定部２（２ａ、２ｂ、・・・、２ｆ）と、支柱１を斜面Ｓに対して立設させるため支柱１の上端部に接続された吊りロープ３（３ａ、３ｂ、・・・、３ｆ）と、吊りロープ３を斜面Ｓに固定する吊りロープ固定部４（４ａ、４ｂ、・・・、４ｆ）と、各支柱１の上端部から吊設される縦主ロープ５（５ａ、５ｂ、・・・、５ｆ）と、縦主ロープ５間に設けられた縦補助ロープ６（６ａ、６ｂ、・・・、６ｅ）と、縦主ロープ５と交差するように設けられる第１の横主ロープ７（７ａ、７ｂ、７ｃ）と、第１の横主ロープ７を斜面Ｓに固定する第１の横主ロープ固定部８（８ａ、８ｂ、・・・、８ｆ）と、縦主ロープ５、縦補助ロープ６および第１の横主ロープ７に接続される第１の防護網９と、を備えた防護網構造１０１、いわゆるポケット式落石防護網、を補強する補強構造である。
【００１９】
補強構造１００は、さらに、第１の防護網９を覆うように設けられる第２の防護網１０と、第２の防護網１０と接続される第２の横主ロープ１１（１１ａ、１１ｂ）と、第２の横主ロープ１１を斜面Ｓに固定する第２の横主ロープ固定部１２（１２ａ、１２ｂ、１２ｃ、１２ｄ）と、を備える。第２の防護網１０、第２の横主ロープ１１および第２の横主ロープ固定部１２によって、防護網構造１０１を補強することができる。
【００２０】
第１の防護網９および第２の防護網１０は、落石の衝突によって発生する荷重を分散させることが可能な網であれば、材質は特に限定されないが、例えば金網である。金網の線径、目合い、強度等は、予想される落石の大きさ、重さ等を考慮して適宜選択される。
【００２１】
第２の防護網１０は第１の防護網９の外側（道路側）に設けられ、第２の防護網が設置された箇所は二重構造となる。第２の防護網を設置する箇所は特に限定されず、予想される落石の位置に応じて適宜選択される。
【００２２】
防護網構造の吸収エネルギーは、主に、第１の防護網９の吸収エネルギー、第１の横主ロープ７の吸収エネルギーおよび衝突の前後におけるエネルギー差の合計エネルギーとして算出される。防護網構造の吸収エネルギーが落石の運動エネルギーより大きくなるように、第１の防護網９、第１の横主ロープ７の強度が設定される。
【００２３】
また、本発明の補強構造は、前記第１の防護網９、第１の横主ロープ７の吸収エネルギーおよび衝突の前後におけるエネルギー差の合計が前記落石の運動エネルギーに満たない分の吸収エネルギーを有するものとすればよい。
【００２４】
次に、図３（Ａ）〜（Ｅ）を参照して、防護網構造を補強する方法について説明する。以下では、防護網構造１０１、いわゆるポケット式落石防護網を第２の防護網１０、第２の横主ロープ１１および第２の横主ロープ固定部１２によって補強する方法について説明する。
【００２５】
まず、第１の防護網９の外側（道路側）において、第１の防護網９の所定の位置に第２の防護網１０ａを重ねる。図３（Ａ）に示すように、第２の防護網１０ａは、隣接する２つの第１の横主ロープ７ａ、７ｂと隣接する２つの縦主ロープ５ａ、５ｂとで囲まれた領域を覆うように、当該領域より大きな矩形状に形成されている。第２の防護網１０の有する４つの辺はそれぞれ、第１の横主ロープ７ａ、７ｂおよび縦主ロープ５ａ、５ｂから所定距離外側に離れた位置に配置される。第２の防護網１０ａの上辺と第１の横主ロープ７ａの距離は、第２の防護網１０ａを折り返し可能なように設定される。
【００２６】
図３（Ａ）に示すように、第２の防護網１０ａを、上段側の第１の横主ロープ７ａに結束部材で接続する。結束部材は、間隔を開けて複数設置される。接続した後、第２の防護網１０ａの上端を斜面側に折り返しておく。
【００２７】
図３（Ｂ）に示すように、第２の防護網１０ａを、縦主ロープ５ａおよび第１の防護網９に結合コイルで接続する。また、第２の防護網１０ａを、縦補助ロープ６ａおよび第１の防護網９に結合コイルで接続する。
【００２８】
図３（Ｃ）に示すように、第２の防護網１０ａと同様に、隣接する２つの第１の横主ロープ７ａ、７ｂと隣接する２つの縦主ロープ５ｂ、５ｃとで囲まれた領域を覆うように、第２の防護網１０ｂを設置する。第２の防護網１０ａと第２の防護網１０ｂとは、重なるように設置される。第２の防護網１０ｂを、上段側の第１の横主ロープ７ａに結束部材で接続する。第２の防護網１０ａと第２の防護網１０ｂとが重なった部分において、第２の防護網１０ａと第２の防護網１０ｂを、縦主ロープ５ｂおよび第１の防護網９に結合コイルで接続する。また、第２の防護網１０ｂを、縦補助ロープ６ｂおよび第１の防護網９に結合コイルで接続する。同じ作業を繰り返すことによって、第１の横主ロープ７ａ、７ｂと縦主ロープ５ａ、５ｆとで囲まれた領域が全て、第１の防護網９と第２の防護網１０ａ〜１０ｅの２重構造となる。
【００２９】
図３（Ｄ）に示すように、上段側の第１の横主ロープ７ａから下方に所定距離離れた位置に第２の横主ロープ１１ａを配置する。第２の横主ロープ１１ａを、第２の防護網１０ａ〜１０ｅに番線で仮止めする。同様に、下段側の第１の横主ロープ７ｂから上方に所定距離離れた位置に第２の横主ロープ１１ｂを配置する。第２の横主ロープ１１ｂを、第２の防護網１０ａ〜１０ｅに番線で仮止めする。
【００３０】
第２の横主ロープ固定部１２ａ、１２ｂ、１２ｃ、１２ｄを斜面に固定し、第２の横主ロープ１１ａ、１１ｂの両端部を第２の横主ロープ固定部１２ａ、１２ｂ、１２ｃ、１２ｄに接続する。
【００３１】
図３（Ｅ）に示すように、第２の防護網１０ａ〜１０ｅの上端側を上段側の第２の横主ロープ１１ａを巻き込むように折り返し、折り返した状態で第２の防護網１０ａ〜１０ｅと上段側の第２の横主ロープ１１ａとを結合コイルで接続する。また、第２の防護網１０ａ〜１０ｅの下端側は、折り返しをせずにそのまま、第２の防護網１０ａ〜１０ｅと下段側の第２の横主ロープ１１ｂとを結合コイルで接続する。第２の防護網１０ａ〜１０ｅと各第２の横主ロープ１１ａ、１１ｂとを接続する際、さらに第１の防護網９も合わせて結合コイルで接続してもよい。
【００３２】
以上のような補強方法によれば、第２の防護網、第２の横主ロープおよび第２の横主ロープ固定部によって防護網構造を補強するため、防護網を２重構造にしたことにより増加する荷重を第２の横主ロープおよび第２の横主ロープ固定部に負担させて、各部材の破損を防止することができる。
【００３３】
また、本発明では、第２の防護網の線径や目合い、強度、第２の横主ロープの線径や強度の組み合わせを適宜変更することが可能である。落石の運動エネルギーに対して既設又は新設の落石防護網の可能吸収エネルギーの不足分を算出することにより、適切に補強することができ、経済的である。
【００３４】
また、第２の防護網と縦主ロープ、第２の防護網と縦補助ロープとを接続することにより、補強構造として一体性を確保しており、補強効果が高い。
【００３５】
また、第２の防護網と第２の横主ロープとを接続し、斜面に固定された第２の横主ロープ固定部に第２の横主ロープの両端部を接続することにより、第２の防護網に発生した荷重を第２の横主ロープおよび第２の横ロープ固定部にスムーズに伝達することができる。
【００３６】
さらに、第２の防護網の上端側を上段側の第２の横主ロープを巻き込むように折り返し、折り返した状態で第２の防護網と上段側の第２の横主ロープとを接続することにより、第２の防護網が重力でずれ落ちるのを防止し、より強固に固定することができる。
【００３７】
＜その他＞
なお、本発明は、上記実施形態に限られるものではなく、本発明の範囲を超えない範囲で適宜変更が可能である。例えば、上記実施形態では、防護網と種々のロープとを接続するのに結合コイル等を用いているが、接続部材であれば特に限定されない。
【００３８】
また、上記実施形態では、第２の横主ロープを、上段側の第１の横主ロープから下方に所定距離離れた位置と下段側の第１の横主ロープから上方に所定距離離れた位置に１本ずつ配置する例を示したが、複数配置してもよい。
【符号の説明】
【００３９】
Ｓ  斜面
１  支柱
２  支柱固定部
３  吊りロープ
４  吊りロープ固定部
５  縦主ロープ
６  縦補助ロープ
７  第１の横主ロープ
８  第１の横主ロープ固定部
９  第１の防護網
１０  第２の防護網
１１  第２の横主ロープ
１２  第２の横主ロープ固定部
１００  補強構造
１０１  防護網構造
【図１】
2015175125.tif 000003
【図２】
2015175125.tif 000004
【図３−１】
2015175125.tif 000005
【図３−２】
2015175125.tif 000006